(57)【特許請求の範囲】
【請求項１】
矩形状シート本体の一端に沿って延びる一方向両端及び該一方向に直交する他方向両端 のそれぞれに一体に連続するよう形成された、折り曲げまたは捲り上げが可能な側縁片を有する複数の防草シートが、縦横それぞれの配列方向に隣り合う防草シート相互間で互いに接合された防草構造体であって、
縦横それぞれの配列方向に隣り合う防草シート相互間の対向する各側縁片の裏面同士の接合部を有し、
該接合部が、矩形状シート本体の厚み方向上方に実質的に突出し、かつ配列方向に直交する方向へ延在するように形成されており、かつ施工面の傾斜方向に隣り合う防草シート相互間の側縁片のうち、勾配上流側に位置する一方の側縁片がシート本体の上面側に略Ｌ字状に折り曲げられるとともに、勾配下流側に位置する他方の側縁片がシート本体の上面側に捲り上げた状態であることを特徴とする防草構造体。
【請求項２】
矩形状シート本体の一端に沿って延びる一方向両端及び該一方向に直交する他方向両端のそれぞれに一体に連続するよう形成された、折り曲げまたは捲り上げが可能な側縁片を有する複数の防草シートが、施工面の少なくとも傾斜方向に隣り合う防草シート相互間で互いに接合された防草構造体であって、
施工面の少なくとも傾斜方向に隣り合う防草シート相互間の対向する各側縁片の裏面同士の接合部を有し、
該接合部が、矩形状シート本体の厚み方向上方に実質的に突出し、かつ傾斜方向に直交する方向へ延在するように形成されており、かつ施工面の傾斜方向に隣り合う防草シート相互間の側縁片のうち、勾配上流側に位置する一方の側縁片がシート本体の上面側に略Ｌ字状に折り曲げられるとともに、勾配下流側に位置する他方の側縁片がシート本体の上面側に捲り上げた状態であることを特徴とする防草構造体。
【請求項３】
矩形状シート本体の一端に沿って延びる一方向両端及び該一方向に直交する他方向両端のそれぞれに一体に連続するよう形成された、折り曲げまたは捲り上げが可能な側縁片を有する複数の防草シートが、施工面の傾斜方向に隣り合う防草シート相互間で互いに接合された防草構造体であって、
傾斜方向に隣り合う防草シート相互間の対向する各側縁片のうち、勾配上流側に位置する一方の側縁片が略Ｌ字状に折り曲げられた状態での、前記各側縁片の裏面同士の接合部を有し、
該接合部が、矩形状シート本体の厚み方向上方に実質的に突出し、かつ傾斜方向に直交する方向へ延在するように形成されており、かつ施工面の傾斜方向に隣り合う防草シート相互間の側縁片のうち、勾配上流側に位置する一方の側縁片がシート本体の上面側に略Ｌ字状に折り曲げられるとともに、勾配下流側に位置する他方の側縁片がシート本体の上面側に捲り上げた状態であることを特徴とする防草構造体。
【請求項４】
矩形状シート本体の一端に沿って延びる一方向両端及び該一方向に直交する他方向両端のそれぞれに一体に連続するよう形成された、折り曲げまたは捲り上げが可能な側縁片を有する複数の防草シートが、縦横それぞれの配列方向に隣り合う防草シート相互間で互いに接合された防草構造体であって、
縦横それぞれの配列方向に隣り合う防草シート相互間の対向する各側縁片の裏面同士の接合部を有し、
該接合部が、矩形状シート本体の厚み方向上方に実質的に突出し、かつ配列方向に直交する方向へ延在するように形成されているとともに、すべての接合部のうち、縦横いずれかに延在するものが、その延在方向に沿って互い違いとなるように形成されており、かつ施工面の傾斜方向に隣り合う防草シート相互間の側縁片のうち、勾配上流側に位置する一方の側縁片がシート本体の上面側に略Ｌ字状に折り曲げられるとともに、勾配下流側に位置する他方の側縁片がシート本体の上面側に捲り上げた状態であることを特徴とする防草構造体。
【請求項５】
接合部は、矩形状シート本体の厚み方向上方に１０ｍｍ以上の突出高さで立ち上がるよう突出していることを特徴とする請求項１〜４のいずれかに記載の防草構造体。
【請求項６】
接合部は、矩形状シート本体の厚み方向上方に３０ｍｍ以上の突出高さで立ち上がるよう突出していることを特徴とする請求項１〜４のいずれかに記載の防草構造体。
【発明の詳細な説明】
【技術分野】
【０００１】
本発明は、草の生育を防止する必要のある領域に設置しうる防草構造体に関する。
【背景技術】
【０００２】
草の生育防止を望む領域の施工面に対して、厚さが数ミリ程度で長尺帯状の防草シートをその短手（幅）方向に複数、隣接させて敷き詰め、すべての防草シートについて、隣り合う防草シート相互間を接合部で連結して構成した防草構造体は知られている（例えば特許文献１，２）。
【先行技術文献】
【特許文献】
【０００３】
【特許文献１】特開２００４−３３０３２号公報
【特許文献２】特開２０１１−１０６０９２号公報
【発明の概要】
【発明が解決しようとする課題】
【０００４】
上記構成の防草構造体を平面視した場合に、防草構造体を構成するすべての防草シートの中の、何れか任意の防草シートを基準シートとし、この基準シートを起点として各防草シートの幅方向に隣り合う防草シートを他のシートとして以下、説明する。
従来の防草構造体は、基準シートと他のシートのいずれか一方（例えば基準シート）に対していずれか他方（例えば他のシート）をその端部が上になるように重ね合わせた後、その重ね合わせ部を、接着材または両面テープによる接着や、加熱による融着などの方法で連結した接合部（特許文献２のシート重ね合わせ融着部１７に相当）を有していた。
【０００５】
しかし、基準シートと他のシート相互間に形成される従来の接合部は、一方のシートの上面に対して他方のシートの厚み分（数ミリ程度）だけ僅かに盛り上がったものに過ぎず、厚み方向への実質的な突出がなく、ほぼ平坦であった。このため、防草構造体が施工領域の面形状に追従する表面（上面）を持つことを考慮すると、施工領域へ施工後に雨が降った場合、その降雨による雨水のうち防草構造体中に浸透しなかったものが防草構造体の上面を伝って勾配なりに流れ、勾配最下流側の領域へと集中する。
【０００６】
なお、一見して水平な地面であっても、そのすべての領域が論理的に水平であることはなく、その領域のどこかに必ず傾斜（勾配）がある。したがって、施工領域への施工後に雨が降れば、その降雨による雨水は、施工領域のどこかに排水方向などを変える障害物を積極的に設けない限り、必ず、施工面の勾配なりに流れる。その結果、施工前と比較して、施工領域での排水先や流出量が変わるため、新たな水路の洗掘、土砂流出、又は土砂崩れの可能性を伴う不具合が生じやすい。
【０００７】
本発明は、上記点に鑑みなされたものであって、その目的は、降雨時の雨水の排水先や流出量を施工者の設計次第で地盤の勾配を活用し意図的に変更可能な防草構造体を提供することにある。
【課題を解決するための手段】
【０００８】
以下では、本発明の理解を容易にするために、本発明の実施形態を示す図面に対応する符号を付して説明するが、これに限定されるものではない。
【０００９】
上記目的を達成するために、本発明の第１の観点に係る防草構造体（１００）は、
矩形状シート本体（１）と、該シート本体（１）の一端に沿って延びる一方向（例えばＸ）両端及び該一方向に直交する他方向（例えばＹ）両端の少なくともいずれかに一体に連続するよう形成された側縁片（１０，１１，１２，１３，１４）を有する複数の防草シート（Ａ）が、
少なくとも縦横いずれかの配列方向（Ｘのみ、Ｙのみ、Ｙ１のみ、Ｘ及びＹ、または、Ｘ及びＹ１）に隣り合う防草シート相互間（Ａ１とＡ２、Ａ２とＡ３、Ａ３とＡ４、Ａ１１とＡ２１、Ａ２１とＡ３１、Ａ３１とＡ４１、Ａ１２とＡ２２、Ａ２２とＡ３２、Ａ３２とＡ４２、Ａ１とＡ１１、Ａ１１とＡ１２、Ａ２とＡ２１、Ａ２１とＡ２２、Ａ３とＡ３１、Ａ３１とＡ３２、Ａ４とＡ４１、Ａ４１とＡ４２）で互いに接合してなり、
少なくとも１つの配列方向（例えば、Ｘ及びＹにシートが配列されている場合、Ｘのみでよいし、Ｙのみでもよく、Ｘ及びＹでもよい。Ｘ及びＹ１にシートが配列されている場合、Ｘのみでよいし、Ｙ１のみでもよく、Ｘ及びＹ１でもよい。）に隣り合う防草シート相互間（Ａ１とＡ２、Ａ２とＡ３、Ａ３とＡ４、Ａ１１とＡ２１、Ａ２１とＡ３１、Ａ３１とＡ４１、Ａ１２とＡ２２、Ａ２２とＡ３２、Ａ３２とＡ４２）の対向する各側縁片（１０、少なくとも１３と１４）の裏面同士の接合部（１０２、少なくとも１０２ｂ）を有し、該接合部が、
矩形状シート本体（１）の厚み方向上方に実質的に突出し、かつ
配列方向（少なくともＹ，Ｙ１）に直交する方向（Ｘ）へ延在するように
形成されていることを特徴とする。
【００１０】
本発明の第２の観点に係る防草構造体（１００）は、
矩形状シート本体（１）と、該シート本体（１）の一端に沿って延びる一方向（例えばＸ）両端及び該一方向に直交する他方向（例えばＹ）両端の少なくともいずれかに一体に連続するよう形成された側縁片（１０，１１，１２，１３，１４）を有する複数の防草シート（Ａ）が、
施工面（Ｇ）の少なくとも傾斜方向（Ｙ１）に隣り合う防草シート相互間（Ａ１とＡ２、Ａ２とＡ３、Ａ３とＡ４、Ａ１１とＡ２１、Ａ２１とＡ３１、Ａ３１とＡ４１、Ａ１２とＡ２２、Ａ２２とＡ３２、Ａ３２とＡ４２）で互いに接合してなり、
施工面（Ｇ）の少なくとも傾斜方向（Ｙ１）に隣り合う防草シート相互間（Ａ１とＡ２、Ａ２とＡ３、Ａ３とＡ４、Ａ１１とＡ２１、Ａ２１とＡ３１、Ａ３１とＡ４１、Ａ１２とＡ２２、Ａ２２とＡ３２、Ａ３２とＡ４２）の対向する各側縁片（１０、少なくとも１３と１４）の裏面同士の接合部（１０２、少なくとも１０２ｂ）を有し、該接合部が、
矩形状シート本体（１）の厚み方向上方に実質的に突出し、かつ
配列方向（Ｙ１）に直交する方向（Ｘ）へ延在するように
形成されていることを特徴とする。
【００１１】
《共通事項》
本発明において、複数の防草シート（Ａ）が縦横それぞれの配列方向（Ｘ及びＹ、あるいはＸ及びＹ１）に隣り合っている場合、対向する各側縁片（１０）の裏面同士の接合部（１０２）は、少なくとも縦横いずれかの配列方向（Ｘのみ、Ｙのみ、Ｙ１のみ、Ｘ及びＹ、または、Ｘ及びＹ１）に隣り合う防草シート相互間で形成されていればよく、すべての配列方向で形成されている必要は必ずしもない。すなわち、本発明は、例えば、横方向（ＹまたはＹ１）に隣り合う防草シート相互間でのみ、対向する各側縁片（１３，１４）の裏面同士の接合部（１０２ｂ）が形成され、縦方向（Ｘ）に隣り合う防草シート相互間の対向する各側縁片（１１，１２）では、その各側縁部（１１，１２）のいずれか一方（例えば１１）の端部が上になるようにいずれか他方（例えば１２）をいずれか一方に対して重ね合わせ、別態様の接合部を形成した態様や、その反対、つまり、縦方向（Ｘ）に隣り合う防草シート相互間でのみ、対向する各側縁片（１１，１２）の裏面同士の接合部（１０２ａ）が形成され、横方向（ＹまたはＹ１）に隣り合う防草シート相互間の対向する各側縁片（１３，１４）では、その各側縁部（１３，１４）のいずれか一方（例えば１３）の端部が上になるようにいずれか他方（例えば１４）をいずれか一方に対して重ね合わせ、別態様の接合部を形成した態様も含む。
【００１２】
本発明において、接合部（１０２ａ，１０２ｂ）の厚み方向上方に突出する突出高さ（Ｈ）は、各接合部毎に同一としてもよく、また異ならせてもよい。また、一つの接合部の一部に、突出高さ（Ｈ）が異なる部位を設けることもできる。
【００１３】
本発明において、傾斜方向（Ｙ１）に隣り合う防草シート相互間（Ａ１とＡ２、Ａ２とＡ３、Ａ３とＡ４、Ａ１１とＡ２１、Ａ２１とＡ３１、Ａ３１とＡ４１、Ａ１２とＡ２２、Ａ２２とＡ３２、Ａ３２とＡ４２）の各側縁片（１３，１４）のうち、
勾配上流側（Ｇ１）に位置する一方の側縁片（１３）が略Ｌ字状に折り曲げられた状態での、各側縁片（１３，１４）の裏面同士の接合部（１０２ｂ）を有し、該接合部が、
矩形状シート本体（１）の厚み方向上方に実質的に突出し、かつ
傾斜方向（Ｙ１）に直交する方向（Ｘ）へ延在するように
形成されていることが好ましい。
【００１４】
略Ｌ字状に折り曲げられた状態にするには、勾配上流側（Ｇ１）に位置する一方の側縁片（１３）を、予め矩形状シート本体（１）との境界でしっかりと折り曲げておくことの他、溶剤を用いて略Ｌ字状に固定する方法もある。
【００１５】
本発明において、複数の防草シート（Ａ）が縦横それぞれに配列された場合、
縦横それぞれの配列方向（Ｘ及びＹ）に隣り合う防草シート相互間の対向する各側縁片（１０，１１，１２，１３，１４）の裏面同士の接合部（１０２，１０２ａ，１０２ｂ）を有し、該接合部が、
矩形状シート本体（１）の厚み方向上方に実質的に突出し、かつ
配列方向（Ｘ及びＹ）に直交する方向（Ｙ及びＸ）へ延在するように
形成されているとともに、
すべての接合部のうち、縦横いずれかに延在するもの（１０２ａまたは１０２ｂ）が、その延在方向（ＹまたはＸ）に沿って互い違いとなるように
形成されていてもよい。
すなわち、各接合部（１０２ａ，１０２ｂ）の配列パターンは、たて張り千鳥目地状とすることができる。ただし、本発明では必ずしも、たて張り千鳥目地状である必要はない。
【００１６】
本発明において、防草シート（Ａ）のシート本体（１）は、矩形（直角四辺形）状であればよく、正方形状であるか、長方形状であるかの別は不問である。長尺帯状のものをそのまま用いてもよく、またこれを適宜切断して使用することもできる。
【００１７】
本発明において、防草シート（Ａ）のシート本体（１）に一体に連続する側縁片（１１，１２，１３，１４）は、シート本体（１）が正方形状である場合、シート本体（１）の一端に沿って延びる一方向（例えばＸ方向）両端及び該一方向に直交する他方向（例えばＹ方向）両端の少なくともいずれかに形成されていればよい。シート本体（１）が長尺帯状など長方形状である場合、シート本体（１）の長手方向（Ｘ方向）両端及び短手（幅）方向（Ｙ方向）両端の少なくともいずれかに形成されていればよい。シート本体（１）の形状にかかわらず、シート本体（１）の四辺全端に形成されていてもよい。
【００１８】
本発明において、防草シート（Ａ）のシート本体（１）の四辺全端に側縁片を形成した態様において、各側縁片（１１，１２，１３，１４）は、シート本体（１）の一端に沿って延びる一方向（例えばＸ方向）両端に折り線（２１，２２）を介して一体に連続するよう形成された側縁第１片（１１，１２）と、シート本体（１）の前記一方向に直交する他方向（例えばＹ方向）一端に折り線（２３）を介して一体に連続するよう形成された側縁第２片（１３）と、シート本体（１）の前記他方向（例えばＹ方向）他端に一体に連続するよう形成された側縁第３片（１４）と、で形成することができる。
【発明の効果】
【００１９】
本発明に係る防草構造体では、少なくとも縦横いずれかの配列方向に隣り合う防草シート相互間の対向する各側縁片の裏面同士の接合部を有し、該接合部が、矩形状シート本体の厚み方向上方に実質的に突出し、かつ配列方向に直交する方向へ延在するように形成されており、この接合部が、施工領域において排水方向などを変える障害物の役割を果たす。したがって本発明の防草構造体によれば、実際の施工領域に応じて、施工者の設計次第で、地盤の勾配を活用し、降雨時の雨水の排水先や流出量を意図的に変更することが容易となる。
【図面の簡単な説明】
【００２０】
【図１】図１は本発明に係る防草構造体の一例を示す平面図である。
【図２】図２は図１に対応する他の態様例を示す平面図である。
【図３】図３は図１の防草構造体を構成する防草シートの一例を示す平面図である。
【図４】図４は防草シートの保管例を示す斜視図である。
【図５】図５は図１のＶ−Ｖ線に沿った断面図である。
【図６】図６は図１のＶＩ−ＶＩ線に沿った断面図である。
【図７】図７は施工面に傾斜がある場合の図５に相当する断面図である。
【発明を実施するための形態】
【００２１】
以下、本発明の実施形態を図面に基づいて説明する。
なお、以下の説明において、防草構造体１００を平面視(図１参照)した場合の縦方向を「Ｘ方向」とし、Ｘ方向に直交する横方向を「Ｙ方向」とする。また、防草構造体１００を構成するすべての防草シートＡの中の、何れか任意の防草シートを「基準シートＡ１」とし、この基準シートＡ１を起点としてＸ方向に隣り合う防草シートを「他のシートＡ１１」とし、Ｙ方向に隣り合う防草シートを「他のシートＡ２」とする。
【００２２】
図１に示すように、本例の防草構造体１００は、複数（図例では１２枚以上）の防草シートＡを、縦横それぞれに配列し、すべての防草シートＡについて、隣り合う防草シートＡ，Ａ相互間を接合部１０２で連結した構造を有する。本例の接合部１０２は、Ｙ方向に延在する接合第１部１０２ａと、Ｘ方向に延在する接合第２部１０２ｂとを含むが、それらの詳細は後述する。本発明では、両接合部１０２ａ，１０２ｂは必ずしも必要はなく、ＸＹいずれかの方向に延在するものを１つ含んでいればよい。
【００２３】
本例では、接合第１部１０２ａと接合第２部１０２ｂの配列パターンが、たて張り千鳥目地状となるように形成してある。具体的には、すべての接合部１０２のうち、Ｙ方向に延在する接合第１部１０２ａのみが、Ｙ方向に沿って互い違いになるよう形成されている。接合第１部１０２ａは、そのＸ方向のずらし幅Ｗが、好ましくは１００ｍｍ以上となるように設定してある。
これに対し、Ｘ方向に延在する接合第２部１０２ｂはいずれも、Ｘ方向に沿って連続するように形成されている。
【００２４】
なお、本発明において、接合部１０２の配列パターンは、たて張り千鳥目地状である必要はなく、これを９０度回動させた馬踏み目地状や、縦横いずれかの通し目地状（例えば図２の格子状）などであってもよい。
【００２５】
図３に示すように、本例で使用可能な一例としての防草シートＡは、例えば、耐候性に優れた合成樹脂（例えばポリエステル、ポリプロピレン、ビニル等）であって、非透光性（例えば黒色または緑色）かつ柔軟性のある、矩形状（例えば長尺帯状など）のシート本体１を有する。
【００２６】
本例の矩形状シート本体１には、本発明で言う「一端に沿って延びる一方向両端」の一例としての長手方向（Ｘ方向）各上下端（長手方向両端）に、一体に連続する小幅（例えば１０〜５０ｍｍ程度）の側縁第１片１１，１２が形成されている。
これに加え、本例のシート本体１には、本発明で言う「該一方向に直交する他方向両端」の一例としての幅方向（Ｙ方向）各左右端（幅方向両端）に、一体に連続する小幅（例えば１０〜５０ｍｍ程度）の側縁第２片１３と側縁第３片１４が形成されている。
【００２７】
なお、本例の側縁第１部１１，１２及び側縁第２部１３は、それぞれ、折り線２１，２２，２３を介して形成されていてもよい。ただし、本発明では折り線の有無は不問である。その一方、勾配下流側の配置に適した側縁第３部１４は、折り線を介さず、シート本体１に一体に連続して形成されていることが好ましい。
【００２８】
各防草シートＡのサイズは、例えば、幅（Ｙ方向）が０．５ｍ〜４ｍ程度、長さ（Ｘ方向）が０．５ｍ〜５００ｍ程度、厚みが３００μｍ〜１０ｍｍ程度である。各防草シートＡは、通常、例えば図４に示すように、ロール状に捲回された状態で保管されることが多い。
【００２９】
接合部の詳細
本例の接合部１０２は、縦横すべての配列方向に隣り合う防草シートＡ，Ａ相互間の対向する各側縁片１０，１０の裏面同士を互いに接着することにより形成してある。裏面同士の接着は、接着材または両面テープによる接着や、加熱による融着など、公知の方法を用いることにより行うことができる。
【００３０】
接合部１０２を構成する接合第１部１０２ａは、図１及び図６に示すように、基準シートＡ１と、縦方向（Ｘ方向）に隣り合う他のシートＡ１１との間で、基準シートＡ１の下側に位置する側縁第１片１２と、他のシートＡ１１の上側に位置する側縁第１片１１とが、それぞれの裏面同士を互いに接着することにより、横方向（Ｙ方向）へ延在するように形成されている。すなわち、接合第１部１０２ａは、配列方向がＸ方向であって、この方向に隣り合う、例えば基準シートＡ１及び他のシートＡ１１，Ａ１２などの相互間の対向する側縁第１片１１，１２の裏面同士を互いに接着して形成され、かつＸ方向に直交するＹ方向へ延在するように形成されている。
【００３１】
接合第１部１０２ａは、図６に示すように、Ｘ方向に隣り合う防草シート相互間（Ａ１とＡ１１、Ａ１１とＡ１２など）の対向する各側縁第１片１１，１２の双方が略Ｌ字状に折り曲げられた状態で、裏面同士で接着されていてもよい。ただし、本発明において、接合第１部１０２ａの、Ｘ方向に隣り合う防草シート相互間（Ａ１とＡ１１、Ａ１１とＡ１２など）の対向する側縁第１片１１，１２の状態は特に限定されない。
【００３２】
図示省略するが、他のシートＡ１１と他のシートＡ１２の間でも同様である。なお、他のシートＡ２を起点とした該シートＡ２１と他のシートＡ２２の間、他のシートＡ３を起点とした該シートＡ３１と他のシートＡ３２の間、他のシートＡ４を起点とした該シートＡ４１と他のシートＡ４２の間でもそれぞれ同様である。
【００３３】
一方、接合部１０２を構成するもう一つの接合第２部１０２ｂは、図１及び図５に示すように、基準シートＡ１と、Ｙ方向に隣り合う他のシートＡ２との間で、基準シートＡ１の右側に位置する側縁第３片１４と、他のシートＡ２の左側に位置する側縁第２片１３とが、それぞれの裏面同士を互いに接着することにより、Ｘ方向へ延在するように形成されている。すなわち、接合第２部１０２ｂは、配列方向がＹ方向であって、この方向に隣り合う、例えば基準シートＡ１及び他のシートＡ２，Ａ３，Ａ４などの相互間の対向する側縁第２片１３と側縁第３片１４の裏面同士を互いに接着して形成され、かつＹ方向に直交するＸ方向へ延在するように形成されている。
【００３４】
接合第２部１０２ｂは、図５に示すように、Ｙ方向に隣り合う防草シート相互間（Ａ１とＡ２、Ａ２とＡ３、Ａ３とＡ４など）の対向する各側縁片（側縁第２片１３，側縁第３片１４）のうち、一方の側縁第２片１３のみが略Ｌ字状に折り曲げられた状態で、他方の側縁第３片１４に対して裏面同士で接着されていてもよい。ただし、本発明において、上記接合第１部１０２ａと同様、接合第２部１０２ｂの、Ｙ方向に隣り合う防草シート相互間（Ａ１とＡ２、Ａ２とＡ３、Ａ３とＡ４など）の対向する各側縁片（側縁第２片１３，側縁第３片１４）の状態は特に限定されない。
【００３５】
しかしながら、施工面Ｇが例えば図７に示すように、勾配上流側Ｇ１と勾配下流側Ｇ２を結ぶ傾斜方向（Ｙ１方向）に傾斜している場合、Ｙ１方向に隣り合う防草シート相互間（Ａ１とＡ２、Ａ２とＡ３、Ａ３とＡ４など）については、勾配上流側の防草シートＡ２の側縁第２片１３を折り線２３を介して略Ｌ字状にしっかりと折り曲げ、勾配下流側の防草シートＡ１の側縁第３片１４を捲り上げた状態、または溶剤等で固定した状態でそれぞれの裏面同士を接合することが好ましい。このような構造とすることにより、接合部１０２（接合第２部１０２ｂ）の勾配下流側のみを湾曲させることができ、これにより、流れてくる雨水に対して対抗可能な強度の向上が期待できる。
【００３６】
図示省略するが、他のシートＡ２と他のシートＡ３の間、他のシートＡ３と他のシートＡ４の間でも同様である。なお、他のシートＡ１１を起点とした該シートＡ１１と他のシートＡ２１の間、他のシートＡ２１と他のシートＡ３１の間、他のシートＡ３１と他のシートＡ４１の間、他のシートＡ１２を起点とした該シートＡ１２と他のシートＡ２２の間、他のシートＡ２２と他のシートＡ３２の間、他のシートＡ３２と他のシートＡ４２の間でもそれぞれ同様である。
【００３７】
図５及び図６に示すように、接合第１部１０２ａ及び接合第２部１０２ｂはともに、矩形状シート本体１の厚み方向上方に実質的に突出するよう形成されている。その突出高さＨ（図５及び図６参照）は、例えば１０〜１００ｍｍ程度、好ましくは２０ｍｍ以上、より好ましくは３０ｍｍ以上であればよい。
なお、本発明における「実質的に突出」とは、矩形状シート本体１（引いては防草シートＡ）の厚み方向上方に少なくとも１０ｍｍ、好ましくは２０ｍｍ以上、より好ましくは３０ｍｍ以上、立ち上がっていることを意味する。
【００３８】
本例では、接合第２部１０２ｂの一部に、突出高さＨが異なる部位（例えば、突出高さＨが５０ｍｍの接合第２部１０２ｂの一部に設けられた突出高さＨが３０ｍｍの部位）を設けることもできる。接合第２部１０２ｂ中に突出高さＨが異なる部位を設けると、排水方向の調整が行い易い。
【００３９】
本例の防草構造体１００の施工例（製造方法の一例）は以下のとおりである。
まず、施工面Ｇ（例えば、空き地、路肩、道路、道路脇、通路、堤防、河川敷、庭、園、田、畑、森林、駐車場、太陽光発電施設等の除草が必要とされる場所等）から、異物や突起物（雑物、石、草、木根等）を取り除き、いわゆる不陸がない状態（凹凸がない状態）に整地する。次に、隣り合う防草シートＡ，Ａ相互間の互いの側縁片１０（１１，１２，１３，１４）が各上下面で重なり合うよう、必要数の防草シートＡを施工面Ｇに縦横それぞれの配列方向で敷設する。そして、施工面Ｇに敷設したすべての防草シートＡについて、縦横それぞれの配列方向に隣り合う防草シートＡ，Ａ相互間の側縁片１０を裏面同士で互いに接着させる。これにより、防草構造体１００が施工（製造）される。
【００４０】
本例の防草構造体１００では、Ｘ方向に隣り合う防草シート相互間（Ａ１とＡ１１、Ａ１１とＡ１２、Ａ２とＡ２１、Ａ２２とＡ２２、Ａ３とＡ３１、Ａ３１とＡ３２、Ａ４とＡ４１、及びＡ４１とＡ４２）の対向する各側縁第１片１１，１２の裏面同士の接合第１部１０２ａを有し、該接合第１部１０２ａが、矩形状シート本体１の厚み方向上方に実質的に突出し、かつＹ方向へ延在するように形成されていることに加え、さらに、Ｙ方向に隣り合う防草シート相互間（Ａ１とＡ２、Ａ２とＡ３、Ａ３とＡ４、Ａ１１とＡ２１、Ａ２１とＡ３１、Ａ３１とＡ４１、Ａ１２とＡ２２、Ａ２２とＡ３２、及びＡ３２とＡ４２）の対向する側縁第２片１３及び側縁第３片１４の裏面同士の接合第２部１０２ｂを有し、該接合第２部１０２ｂが、矩形状シート本体１の厚み方向上方に実質的に突出し、かつＸ方向へ延在するように形成されている。
【００４１】
本例の接合第１部１０２ａ及び接合第２部１０２ｂは、施工面Ｇにおける排水方向などを変える障害物の役割を十二分に果たし得る。特に施工面Ｇに必要以上の傾斜があっても、勾配上流側Ｇ１と勾配下流側Ｇ２を結ぶ傾斜方向（Ｙ１方向）に直交する方向に、接合第２部１０２ｂの延在方向が一致するよう、防草構造体１００を施工することにより、降雨による雨水の排水先や流出量を意図的に変更することができる。
【００４２】
なお、雨水の排水先や流出量の変更を検討するに際し、接合部１０２（１０２ａ、１０２ｂ）の配置パターンの設計の他に、例えばＬ型部材（例えば、３ｃｍ×３ｃｍ〜１０ｃｍ×１０ｃｍのアングル上に、ＦＲＰなどを不織布に含浸させたものを取り付けたもの）などの別部材を、防草構造体１００上に取り付けることもある。
【００４３】
以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【符号の説明】
【００４４】
１００…防草構造体
１０２…接合部
１０２ａ…接合第１部（接合部）
１０２ｂ…接合第２部（接合部）
Ａ…防草シート
１…矩形状シート本体
１０…側縁片
１１，１２…側縁第１片（側縁片）
１３…側縁第２片（側縁片）
１４…側縁第３片（側縁片）
２１，２２，２３…折り線
【図１】
0006359055.tif 000002
【図２】
0006359055.tif 000003
【図３】
0006359055.tif 000004
【図４】
0006359055.tif 000005
【図５】
0006359055.tif 000006
【図６】
0006359055.tif 000007
【図７】
0006359055.tif 000008